(57)【特許請求の範囲】
【請求項１】
電動モータと、この電動モータの出力により車輪に対して制動力を負荷する制動力負荷機構と、この制動力負荷機構の制動力弛み動作を阻止するロック状態と許容するアンロック状態とにわたって切換え可能なロック機構とを備えた電動ブレーキ装置であって、
車両の外気温度を検出する温度センサを備え、
前記制動力負荷機構が制動力を負荷し、且つ、ロック機構がロック状態のとき、前記温度センサが、設定された電動ブレーキ装置の凍結直前の温度を検出すると凍結防止の動作を開始する凍結防止の手段を備え、前記温度センサで外気温度を検出するときに前記電動ブレーキ装置のハウジング内の温度が外気温度と異なる場合には、設定する前記電動ブレーキ装置の凍結直前の温度を、前記温度センサで検出される外気温度と前記ハウジング内の温度との差で補正される値とすることを特徴とする電動ブレーキ装置。
【請求項２】
請求項１に記載の電動ブレーキ装置において、前記凍結防止の手段は、前記温度センサで外気温度を検出するときに前記電動ブレーキ装置のハウジング内の温度が外気温度よりも高く保持される場合に、設定する前記電動ブレーキ装置の凍結直前の温度を、前記温度センサで検出される外気温度よりも低く定める電動ブレーキ装置。
【請求項３】
請求項１または請求項２に記載の電動ブレーキ装置において、前記凍結防止の手段は、前記電動モータに通電を開始するように制御する凍結防止通電手段である電動ブレーキ装置。
【発明の詳細な説明】
【技術分野】
【０００１】
この発明は、パーキング用のロック機構を備えた電動ブレーキ装置に関し、制動力を解除することなく電動ブレーキ装置の凍結を防止する技術に関する。
【背景技術】
【０００２】
通常、車両の駐車時には、いわゆるフットブレーキ（サービスブレーキともいう）とは機構的に独立したパーキングブレーキを用いて車両の移動を防止する。しかし、冬季や寒冷地等においては、パーキングブレーキが凍結して解除できない場合がある。したがって、寒冷地等において、車両の駐車時にパーキングブレーキを使用せず、例えば、自動変速機をパーキングレンジにして、この自動変速機内の係止部を被係止部に係止させることで、車両の移動を簡易的に防止することが提案されている。
例えば、寒冷地等において、車両の駐車中、電動パーキングブレーキの凍結を防止するため、車両の外気温度を検出するセンサが凍結温度になると、電動パーキングブレーキを解除する技術が提案されている（特許文献１）。
【先行技術文献】
【特許文献】
【０００３】
【特許文献１】特開２００５−０８２０３５号公報
【発明の概要】
【発明が解決しようとする課題】
【０００４】
上記従来の技術では、電動パーキングブレーキを解除し、自動変速機のパーキングロック機構により車両の移動を禁止しているが、自動変速機を利用するパーキングロック機構は補助的な機構であり、坂道等では自動変速機に負荷が掛かる。自動変速機に過度な負荷が掛かり、同自動変速機における係止部と被係止部との係止状態に不具合が生じると、車両が不所望に移動する場合がある。
【０００５】
この発明の目的は、駐車時において、制動力を解除することなく、簡単な構成で凍結を確実に防止することができる電動ブレーキ装置を提供することである。
【課題を解決するための手段】
【０００６】
この発明の電動ブレーキ装置は、電動モータと、この電動モータの出力により車輪に対して制動力を負荷する制動力負荷機構と、この制動力負荷機構の制動力弛み動作を阻止するロック状態と許容するアンロック状態とにわたって切換え可能なロック機構とを備えた電動ブレーキ装置であって、車両の外気温度を検出する温度センサを備え、前記制動力負荷機構が制動力を負荷し、且つ、ロック機構がロック状態のとき、前記温度センサが、設定された電動ブレーキ装置の凍結直前の温度を検出すると凍結防止の動作を開始する凍結防止の手段を備え、前記温度センサで外気温度を検出するときに前記電動ブレーキ装置のハウジング内の温度が外気温度と異なる場合には、設定する前記電動ブレーキ装置の凍結直前の温度を、前記温度センサで検出される外気温度と前記ハウジング内の温度との差で補正される値とすることを特徴とする。
この構成において、前記凍結防止の手段は、前記温度センサで外気温度を検出するときに前記電動ブレーキ装置のハウジング内の温度が外気温度よりも高く保持される場合に、設定する前記電動ブレーキ装置の凍結直前の温度を前記温度センサで検出される外気温度よりも低く定めるようにしても良い。
また、これらの構成において、前記凍結防止の手段は、前記電動モータに通電を開始するように制御する凍結防止通電手段であっても良い。
【０００７】
この構成によると、走行時は、ロック機構をアンロック状態としておき、電動モータを駆動することで、制動力負荷機構は車輪に対して制動力を負荷する。駐車時には、制動力負荷機構が車輪に対し制動力を負荷した状態で、ロック機構をロック状態に切換えることで、車両の移動を禁止する。ロック機構をロック状態とすることで、電動モータを停止させても、制動力が維持される。駐車時にロック機構等に凍結が生じるとロック解除が行えない。しかし、この車両の駐車時に、温度センサは、車両の外気温度または電動ブレーキ装置の温度を検出する。制動力負荷機構が制動力を負荷し、且つ、ロック機構がロック状態のとき、温度センサが、設定された電動ブレーキ装置の凍結直前の温度を検出すると、凍結防止通電手段は電動モータに通電を開始するように制御する。この電動モータへの通電により、モータコイルを熱源としてモータ自体が発熱することで、電動ブレーキ装置の温度を上昇させる。これにより、駐車時において、電動ブレーキ装置のロック機構等の凍結を確実に防止することができて、正常にロック解除等が行える。したがって、車両を遅滞無く発進させることができる。このようにモータコイルを熱源に利用するため、凍結防止専用の熱源が不要であり、簡単な構成で凍結防止が行える。
【０００８】
前記凍結防止通電手段は、制動力負荷機構による制動力が向上する方向に、電動モータを通電させるものであっても良い。この場合、電動モータが回転しようとするが、制動力負荷機構が制動力を負荷しており押圧反力が発生しているため、電動モータの回転が制限される。
前記凍結防止通電手段は、制動力負荷機構による制動力が低減する方向に、電動モータを通電させるものであっても良い。この場合、ロック機構がロック状態になっているため、電動モータの回転が制限される。したがって、制動力負荷機構による制動力が実際に低減することはない。
【０００９】
前記凍結防止通電手段は、温度センサが設定された温度を検出している間、一定時間毎に電動モータへの通電と遮断を繰り返し行うものとしても良い。電動モータへの通電開始後、温度センサで検出される温度は、例えば、時間と共に温度上昇傾向となる。その後も連続して電動モータへの通電を行うことで、温度低下傾向となることなく電動ブレーキ装置の凍結を確実に防止できるが、この場合、バッテリに負荷がかかる。また、電動モータへ比較的長い時間通電を行い、モータ自体が高温になると、電動モータへの通電を一時的に遮断しても温度低下し難くなる傾向がある。
したがって、凍結防止通電手段は、一定時間毎に電動モータへの通電と遮断を繰り返し行うことで、電動モータへ連続通電する場合よりも、バッテリへの負荷を低減しつつ発電効率を高めて、電動ブレーキ装置の凍結を防止し得る。なお、電動モータへ連続通電し、所定の温度上昇傾向になったとき電動モータへ供給する電流を小さくすることも考えられるが、車両の駐車時間が長い場合において、例えば、昼夜で寒暖の差が大きいときには、連続通電しつつ電流制御を行う場合よりも、一定時間毎に電動モータへの通電と遮断を繰り返す方が、バッテリへの負荷を低減でき、且つ、簡単に制御できる。
前記電動モータの回転を減速する減速機構を有し、前記制動力負荷機構は、減速機構で出力される回転運動を直線運動に変換して車輪に対して制動力を負荷するものとしても良い。
【００１０】
車両の発進操作を表す検出信号を検出する発進操作検出手段を有し、前記凍結防止通電手段は、制動力負荷機構が制動力を負荷し、且つ、ロック機構がロック状態で、温度センサが設定された温度を検出しているとき、発進操作検出手段により車両の発進操作を表す検出信号を検出すると、電動モータに通電を行うものとしても良い。駐車時の電動ブレーキの凍結の防止は、温度検出による電動モータへの通電で行われるが、通電を行う設定温度が高過ぎると、バッテリの電力消費が多くなる。電力消費を抑えるために、設定温度を下げると若干の凍結が生じることがある。このような若干の凍結が生じていても、上記のように、車両の発進操作を表す検出信号を検出すると電動モータに通電を行うようにしてあると、電動ブレーキ装置の凍結を早期に解消できて、車両を遅滞無く発進させることができる。
【００１１】
前記発進操作検出手段は、車両のドア「開」を検出信号とするものであっても良い。
前記発進操作検出手段は、車両のドアロック解除を検出信号とするものであっても良い。
前記発進操作検出手段は、車両のイグニッション「オン」を検出信号とするものであっても良い。
前記発進操作検出手段は、車両の運転席側シートに運転者が着座したことを検出するセンサを含むものであっても良い。
前記発進操作検出手段は、車輪に対し制動力を与えるペダルの操作を検出信号とするものであっても良い。
この発明の自動車は、前記いずれかの電動ブレーキ装置を備えたものである。
【発明の効果】
【００１２】
この発明の電動ブレーキ装置は、電動モータと、この電動モータの出力により車輪に対して制動力を負荷する制動力負荷機構と、この制動力負荷機構の制動力弛み動作を阻止するロック状態と許容するアンロック状態とにわたって切換え可能なロック機構とを備えた電動ブレーキ装置であって、車両の外気温度を検出する温度センサを備え、前記制動力負荷機構が制動力を負荷し、且つ、ロック機構がロック状態のとき、前記温度センサが、設定された電動ブレーキ装置の凍結直前の温度を検出すると凍結防止の動作を開始する凍結防止の手段を備え、前記温度センサで外気温度を検出するときに前記電動ブレーキ装置のハウジング内の温度が外気温度と異なる場合には、設定する前記電動ブレーキ装置の凍結直前の温度を、前記温度センサで検出される外気温度と前記ハウジング内の温度との差で補正される値とするため、駐車時において、制動力を解除することなく、簡単な構成で凍結を確実に防止することができ、正常に走行を開始できる。
【図面の簡単な説明】
【００１３】
【図１】この発明の第１の実施形態に係る電動ブレーキ装置の断面図である。
【図２】同電動ブレーキ装置の減速機構の拡大断面図である。
【図３】同電動ブレーキ装置のロック機構の拡大断面図である。
【図４】同電動ブレーキ装置の制御系のブロック図である。
【図５】同電動ブレーキ装置における、温度センサによる設定温度と時間との関係を表す図である。
【図６】この発明の他の実施形態に係る電動ブレーキ装置における、温度センサによる設定温度と時間との関係を表す図である。
【図７】この発明のさらに他の実施形態に係る電動ブレーキ装置における、温度センサによる設定温度と時間との関係を表す図である。
【図８】この発明のさらに他の実施形態に係る電動ブレーキ装置の制御系のブロック図である。
【発明を実施するための形態】
【００１４】
この発明の第１の実施形態を図１ないし図５と共に説明する。この実施形態に係る電動ブレーキ装置は、車両の運転時に使用されるサービスブレーキと、車両の停車時に使用される駐車ブレーキとを兼ねている。後述するロック機構をアンロック状態にすることで、この電動ブレーキ装置をサービスブレーキとして使用でき、ロック機構をロック状態にすることで、この電動ブレーキ装置を駐車ブレーキとして使用し得る。
この電動ブレーキ装置は、図１に示すように、ハウジング１と、電動モータ２と、この電動モータ２の回転を減速する減速機構３と、制動力負荷機構４と、ロック機構５と、温度センサ６（図４）と、凍結防止の手段である凍結防止通電手段７（図４）を有する。ハウジング１の開口端に、径方向外方に延びるベースプレート８が設けられ、このベースプレート８に電動モータ２が支持されている。ハウジング１内には、電動モータ２の出力により車輪、この例ではブレーキディスク９に対して制動力を負荷する制動力負荷機構４が組込まれている。ハウジング１の開口端およびベースプレート８の外側面は、カバー１０によって覆われている。
【００１５】
制動力負荷機構４について説明する。
制動力負荷機構４は、減速機構３で出力される回転運動を直線運動に変換して車輪に対して制動力を負荷するいわゆる直動機構である。この制動力負荷機構４は、スライド部材１１と、軸受部材１２と、環状のスラスト板１３と、スラスト軸受１４と、転がり軸受１
５，１５と、回転軸１６と、キャリア１７と、すべり軸受１８，１９とを有する。ハウジング１の内周面に、円筒状のスライド部材１１が、回り止めされ且つ軸方向に移動自在に支持されている。スライド部材１１の内周面には、径方向内方に所定距離突出し螺旋状に形成された螺旋突起１１ａが設けられている。この螺旋突起１１ａに、後述する複数の遊星ローラが噛合している。
【００１６】
ハウジング１内におけるスライド部材１１の軸方向一端側に、軸受部材１２が設けられている。この軸受部材１２は、径方向外方に延びるフランジ部と、ボス部とを有する。ボス部内に転がり軸受１５，１５が嵌合され、これら各軸受１５，１５の内輪内径面に回転軸１６が嵌合されている。よって回転軸１６は、軸受部材１２に軸受１５，１５を介して回転自在に支持される。
【００１７】
スライド部材１１の内周には、前記回転軸１６を中心に回転可能なキャリア１７が設けられている。キャリア１７は、軸方向に互いに対向して配置されるディスク１７ａ，１７ｂを有する。軸受部材１２に近いディスク１７ｂをインナ側ディスク１７ｂといい、ディスク１７ａをアウタ側ディスク１７ａという場合がある。一方のディスク１７ａのうち、他方のディスク１７ｂに臨む側面には、この側面における外周縁部から軸方向に突出する間隔調整部材１７ｃが設けられる。この間隔調整部材１７ｃは、複数の遊星ローラ２０の間隔を調整するため、円周方向に間隔を空けて複数配設されている。これら間隔調整部材１７ｃにより、両ディスク１７ａ，１７ｂが一体に設けられる。
【００１８】
インナ側ディスク１７ｂは、回転軸１６との間に嵌合されたすべり軸受１８により、回転自在に、且つ、軸方向に移動自在に支持されている。アウタ側ディスク１７ａには、中心部に軸挿入孔が形成され、この軸挿入孔にすべり軸受１９が嵌合されている。アウタ側ディスク１７ａは、すべり軸受１９により回転軸１６に回転自在に支持される。回転軸１６の端部には、スラスト荷重を受けるワッシャが嵌合され、このワッシャの抜け止め用の止め輪が設けられる。
【００１９】
キャリア１７には、複数のローラ軸２１が周方向に間隔を空けて設けられている。各ローラ軸２１の両端部が、ディスク１７ａ，１７ｂにわたって支持されている。すなわちディスク１７ａ，１７ｂには、それぞれ長孔から成る軸挿入孔が複数形成され、各軸挿入孔に各ローラ軸２１の両端部が挿入されてこれらローラ軸２１が径方向に移動自在に支持される。複数のローラ軸２１には、これらローラ軸２１を径方向内方に付勢する弾性リング２２が掛け渡されている。
【００２０】
各ローラ軸２１に、遊星ローラ２０が回転自在に支持され、各遊星ローラ２０は、回転軸１６の外周面と、スライド部材１１の内周面との間に介在される。複数のローラ軸２１に渡って掛け渡された弾性リング２２の付勢力により、各遊星ローラ２０が回転軸１６の外周面に押し付けられる。回転軸１６が回転することで、この回転軸１６の外周面に接触する各遊星ローラ２０が接触摩擦により回転する。遊星ローラ２０の外周面には、前記スライド部材１１の螺旋突起１１ａに噛合する螺旋溝が形成されている。
キャリア１７のインナ側ディスク１７ｂと、遊星ローラ２０の軸方向一端部との間には、ワッシャーおよびスラスト軸受（いずれも図示せず）が介在されている。ハウジング１内において、インナ側ディスク１７ｂと軸受部材１２との間には、環状のスラスト板１３およびスラスト軸受１４が設けられている。
【００２１】
減速機構３について説明する。
図２に示すように減速機構３は、電動モータ２の回転を、回転軸１６に固定された出力ギヤ２３に減速して伝える機構であり、複数のギヤ列を含む。この例では、減速機構３は、電動モータ２のロータ軸２ａに取付けられた入力ギヤ２４の回転を、ギヤ列２５，２６，２７により順次減速して、回転軸１６の端部に固定された出力ギヤ２３に伝達可能としている。
【００２２】
ロック機構５について説明する。
図３に示すように、ロック機構５は、制動力負荷機構４（図２）の制動力弛み動作を阻止するロック状態と許容するアンロック状態とにわたって切換え可能に構成されている。図３の丸枠Ａ内において、ロック機構５のロック状態を二点鎖線で表し、アンロック状態を実線で表す。前記減速機構３に、ロック機構５が設けられている。すなわち、ギヤ列２６の出力側の中間ギヤ２８には、複数の係止孔２８ａが円周方向一定間隔おきに形成されている。これら係止孔２８ａのピッチ円上の一点に対し、ロックピン２９が、ピン駆動用アクチュエータであるリニアソレノイド３０により進退可能に設けられている。リニアソレノイド３０は前記ベースプレート８に支持され、このベースプレート８には、ロックピン２９の進退を許すピン孔が形成されている。リニアソレノイド３０によりロックピン２９を進出させて係止孔２８ａに係合し、中間ギヤ２８の回転を禁止することで、ロック機構５を丸枠Ａ内の二点鎖線で示すようにロック状態にする。逆に、ロックピン２９を退入させて係止孔２８ａから離脱させ、中間ギヤ２８の回転を許すことで、ロック機構５を丸枠Ａ内の実線で示すようにアンロック状態にし得る。
【００２３】
温度センサ６および凍結防止通電手段７等について説明する。
図４に示すように、車両には、車両全般を制御する電気制御ユニットであるＥＣＵ３１、および、この車両の外気温度を検出する温度センサ６がそれぞれ設けられている。車両の例えばナックルアームに温度センサ６が取り付けられている。ＥＣＵ３１は、主に、走行制御部３１ａと、一般制御部３１ｂとを有する。走行制御部３１ａは、アクセルペダル３７の踏み込み量に応じてセンサ３８から出力される加速指令と、ブレーキペダル３２の動作量に応じてセンサ３３から出力される減速指令等から、加速・減速指令を生成する。この例では、車両本体のナックルアームに温度センサ６を設けているが、この形態に限定されるものではない。
【００２４】
一般制御部３１ｂは、ブレーキ制御部３１ｂａ、凍結防止通電手段７、および各種補機システム（図示せず）を制御する機能等を有する。ブレーキ制御部３１ｂａは、車両の停車時にこの電動ブレーキ装置を駐車ブレーキとして制御する手段である。このブレーキ制御部３１ｂａは、センサ３３の検出信号、およびロック機構操作部３４の操作指令に基づき、駆動回路３５を介してリニアソレノイド３０を駆動可能になっている。
ＥＣＵ３１にインバータ装置３９が接続され、インバータ装置３９は、各電動モータ２に対して設けられたパワー回路部３９ａと、このパワー回路部３９ａを制御するモータコントロール部３９ｂとを有する。モータコントロール部３９ｂは、各パワー回路部３９ａに対して共通して設けられていても、別々に設けられていても良い。
【００２５】
モータコントロール部３９ｂは、コンピュータとこれに実行されるプログラム、および電子回路により構成される。このモータコントロール部３９ｂは、走行制御部３１ａまたはブレーキ制御部３１ｂａから与えられる減速指令に従い、電流指令に変換して、パワー回路部３９ａのＰＷＭドライバに電流指令を与える。
凍結防止通電手段７は、前記制動力負荷機構４が制動力を負荷し、且つ、ロック機構５がロック状態のとき、温度センサ６が、設定された電動ブレーキ装置の凍結直前の温度を検出すると、電動モータ２に通電を開始するように制御する。前記設定された電動ブレーキ装置の凍結直前の温度は、温度０℃を基準として任意に定めることが可能である。なお、温度センサ６で外気温度を検出する際、電動ブレーキ装置のハウジング１内の温度が、外気温度よりも比較的高く保持される場合には、電動ブレーキ装置の凍結直前の温度を、温度センサ６で検出された外気温度よりも低く補正しても良い。
【００２６】
前記のように凍結防止通電手段７は、三つの条件、すなわち(1) 制動力負荷機構４が制動力を負荷している、(2) ロック機構５がロック状態にある、(3) 温度センサ６が設定温度以下である、を全て満たすと、制動力負荷機構４による制動力が向上する方向に、電動モータ２を通電させる。この場合、電動モータ２が回転しようとするが、制動力負荷機構４が制動力を負荷しており押圧反力が発生しているため、電動モータ２の回転が制限される。凍結防止通電手段７は、温度センサ６で外気温度を常時検出する。電動モータ２を通電させることで、温度センサ６が設定温度よりも高くなると、凍結防止通電手段７は、電動モータ２への通電を遮断する。前記設定温度は、図５に示すように、通電時と遮断時で異なり、それぞれ通電時設定温度Ｔ１と、遮断時設定温度Ｔ２が設定される。通電時設定温度Ｔ１、遮断時設定温度Ｔ２ともに、温度０℃より定められた温度高く設定され、且つ、遮断時設定温度Ｔ２は、通電時設定温度Ｔ１よりも高く設定されている。
凍結防止通電手段７は、前記三つの条件を全て満たすと、制動力負荷機構４による制動力が低減する方向に、電動モータ２を通電させるものであっても良い。この場合、ロック機構５がロック状態になっているため、電動モータ２の回転が制限される。したがって、制動力負荷機構４による制動力が実際に低減することはない。
【００２７】
以上説明した電動ブレーキ装置によると、走行時は、ロック機構５をアンロック状態としておき、電動モータ２を駆動することで、制動力負荷機構４は車輪に対して制動力を負荷する。駐車時には、制動力負荷機構４が車輪に対し制動力を負荷した状態で、ロック機構５をロック状態に切換えることで、車両の移動を禁止する。ロック機構５をロック状態とすることで、電動モータ２を停止させても、制動力が維持される。駐車時にロック機構５等に凍結が生じるとロック解除が行えない。しかし、この車両の駐車時に、温度センサ６は、車両の外気温度または電動ブレーキ装置の温度を検出する。車両の駐車時に前記三つの条件を全て満たすと、凍結防止通電手段７は、電動モータ２に通電を開始するように制御する。電動モータ２への通電により、モータコイルを熱源としてモータ自体が発熱することで、電動ブレーキ装置の温度を上昇させる。これにより、駐車時において、電動ブレーキ装置のロック機構５等の凍結を確実に防止することができて、正常にロック解除等が行える。したがって、車両を遅滞無く発進させることができる。このようにモータコイルを熱源に利用するため、凍結防止専用の熱源が不要であり、簡単な構成で凍結防止が行える。
【００２８】
他の実施形態として、図６に示すように、車両の駐車時に、通電時設定温度Ｔ１にて電動モータ２に通電を開始させた後、温度Ｔ１よりも高い設定温度ＴＨと検出された時点で、電動モータ２へ通電する電流を小さく制御しても良い。この場合、一定の電流を電動モータ２に通電させ続けるよりも、車両に搭載されるバッテリの負荷を低減することができる。
図７に示すように、凍結防止通電手段７は、前記温度を検出している間、一定時間毎（時間ｔ１毎）に電動モータ２への通電と遮断を繰り返し行うものとしても良い。電動モータ２への通電開始後、温度センサ６で検出される温度は、例えば、時間と共に温度上昇傾向となる。その後も連続して電動モータ２への通電を行うことで、温度低下傾向となることなく電動ブレーキ装置の凍結を確実に防止できるが、この場合、バッテリに負荷がかかる。また、電動モータ２へ比較的長い時間通電を行い、モータ自体が高温になると、電動モータ２への通電を一時的に遮断しても温度低下し難くなる傾向がある。
したがって、凍結防止通電手段７は、一定時間毎に電動モータ２への通電と遮断を繰り返し行うことで、電動モータ２へ連続通電する場合よりも、バッテリへの負荷を低減しつつ発電効率を高めて、電動ブレーキ装置の凍結を防止し得る。車両の駐車時間が長い場合において、例えば、昼夜で寒暖の差が大きいときには、連続通電しつつ電流制御を行う場合よりも、一定時間毎に電動モータ２への通電と遮断を繰り返す方が、バッテリへの負荷
を低減でき、且つ、簡単に制御できる。
【００２９】
図８に示すように、車両の発進操作を表す検出信号を検出する発進操作検出手段３６を設け、凍結防止通電手段７は、制動力負荷機構４が制動力を負荷し、且つ、ロック機構５がロック状態で、温度センサ６が設定された温度を検出しているとき、発進操作検出手段３６により車両の発進操作を表す検出信号を検出すると、電動モータ２に通電を行うようにしても良い。
発進操作検出手段３６は、以下の検出信号を適用可能である。
・車両のドア「開」を検出信号とする。
・車両のドアロック解除を検出信号とする。
・車両のイグニッション「オン」を検出信号とする。
・車両の運転席側シートに運転者が着座したことを検出するセンサによる検出信号
・車輪に対し制動力を与えるペダルの操作を検出信号とする。
若干の凍結が生じていても、上記のように、車両の発進操作を表す検出信号を検出すると電動モータ２に通電を行うようにしてあると、電動ブレーキ装置の凍結を早期に解消できて、車両を遅滞無く発進させることができる。
【符号の説明】
【００３０】
２…電動モータ
３…減速機構
４…制動力負荷機構
５…ロック機構
６…温度センサ
７…凍結防止通電手段
３６…発進操作検出手段
【図１】
0005956001.tif 000002
【図２】
0005956001.tif 000003
【図３】
0005956001.tif 000004
【図４】
0005956001.tif 000005
【図５】
0005956001.tif 000006
【図６】
0005956001.tif 000007
【図７】
0005956001.tif 000008
【図８】
0005956001.tif 000009